(57)【要約】  【課題】放熱器から蒸発皿、ドレン皿や蒸発促進シートへの穀物などの籾殻、埃や米糠等の侵入を防ぐことにより、衛生的にも良い、また、効率的にドレン水を蒸発させる農産物低温貯蔵庫を提供する。  【解決手段】放熱器２８の前面から侵入する埃やゴミを防止するフィルタ１９を備えたことにより、蒸発皿３１部分の穀物などの籾殻、埃や米糠等の堆積を防止するともに、蒸発促進シート３４による蒸発性能劣化を防止し、蒸発効率を維持できる。またドレン水を効果的に蒸発することができるのでドレン水をオーバーフローすることを防止できる。【選択図】図１
2006078061.tif 000002
【特許請求の範囲】
【請求項１】
貯蔵室と、前記貯蔵室の上面に配設された冷却ユニットとからなり、前記冷却ユニットは、断熱材内部に冷却器と前記冷却器のドレン水を受ける冷却器用ドレン皿と冷却器用送風機と冷気用吸込口と冷気用吹出口とを有する冷却室と、圧縮機と放熱器と放熱器用送風機と前記放熱器用送風機の風下側に配置した蒸発皿と前記蒸発皿に蒸発促進用の蒸発促進シートとを有する機械室とから構成され、前記放熱器の前面に穀物などの籾殻、埃、米糠等の侵入を防止するフィルタを備えたことを特徴とする農産物低温貯蔵庫。
【請求項２】
前記冷却ユニットは、前記機械室と前記冷却室を覆う外装パネルを備え、前記外装パネルの前面に警告灯を備えたことを特徴とする請求項１記載の農産物低温貯蔵庫。
【請求項３】
前記機械室に警告音装置を設けたことを特徴とする請求項１または２に記載の農産物低温貯蔵庫。
【発明の詳細な説明】
【技術分野】
【０００１】
本発明は、米穀類、野菜などを収納、貯蔵するのに用いる農産物低温貯蔵庫に関するものである。
【背景技術】
【０００２】
従来の農産物低温貯蔵庫に関するものとしては、例えば特許文献１がある。
【０００３】
以下、図面を参考にしながら上記従来の農産物低温貯蔵庫を説明する。図５は、従来の農産物低温貯蔵庫用の冷却ユニットの内部を示す平面構成図である。図５において、１は冷却ユニットである。冷却ユニット１は断熱体４内部に冷却器５、冷却器用送風機６、冷気吸込口７、冷気吹出口８とを有する冷却室２、圧縮機９、放熱器１０、放熱器用送風機１１とを有する機械室３から構成される。冷却ユニット１の冷却器５下部にはドレン皿１２が配設され、さらにドレン皿１２には機械室３の蒸発皿１３へドレン水を排水する通水管１４を設けている。
【０００４】
以上のように構成された農産物低温貯蔵庫について、以下その動作について説明する。
【０００５】
農産物低温貯蔵庫内部は、冷却ユニット１の冷却器５により冷却された冷気を冷気吹出口８から導入することで冷却される。また、貯蔵室内が所定温度に冷却されると圧縮機９の発停運転を繰り返す。この際、貯蔵室内の空気中の水分が冷却器５の表面で凝縮してドレン水となりドレン皿１２上に滴下する。ここで、一般に、野菜等の保存には高湿雰囲気を維持することが望まれるため、貯蔵室内の湿度を高湿に保持するために圧縮機９が停止中に冷却器用送風機６を運転し、冷却器５および、ドレン皿１２に蓄積された水分を貯蔵室内に返している。
【０００６】
一方、運転時間の経過と共に冷却器５の表面に水分が結露し霜となって徐々に蓄積する。冷却器５に付着した霜が多くなると、適当な時期に除霜操作が実施される。この時も冷却器５の表面に付着していた霜が解けてドレン皿１２上に滴下する。ドレン皿１２上に滴下したドレン水は通水管１４を経て蒸発皿１３に流入する。そして、蒸発皿１３に流入したドレン水は、放熱器１０で暖められた排熱と、冷媒配管を流通する高温冷媒の熱を受けて蒸発する。
【特許文献１】特開２００１−２０８４６１号公報
【発明の開示】
【発明が解決しようとする課題】
【０００７】
しかしながら、上記従来の構成では、米穀類等の保存の際、一般に納屋などの設置される為、穀物など籾殻、米糠、埃などが放熱器から侵入し、蒸発皿のドレン水に浸漬し、放熱器で暖められた排熱によって暖められ、ドレン水で冷やされることを繰り返されることによって腐敗するといった不衛生的になるという課題や、蒸発皿や蒸発促進シートの機能低下によってドレン水が蒸発皿からこぼれ貯蔵庫内外にドレン水が落ちるという課題があった。
【０００８】
本発明は、上記従来の課題を解決するもので、納屋などで使用される米穀物等を保存する場合、蒸発皿、ドレン皿や蒸発促進シートへの穀物などの籾殻、埃や米糠等の侵入を防ぐことにより、衛生的にも良い、また、効率的にドレン水を蒸発させる農産物低温貯蔵庫を提供することを目的とする。
【課題を解決するための手段】
【０００９】
上記従来の課題を解決するために、本発明の農産物低温貯蔵庫は、放熱器の前面にフィルタを装着したものである。これによって、放熱器の前面から埃や米糠等の侵入を防止することにより蒸発皿部分の穀物などの籾殻、米糠、埃等の堆積を防止することで、衛生的に良く、また、蒸発促進シートによる蒸発性能劣化を防止し蒸発効率を維持できドレン水を効果的に蒸発することができるので、ドレン水をオーバーフローすることを防止できる。
【発明の効果】
【００１０】
本発明の農産物低温貯蔵庫は、放熱器の前面から侵入する埃やゴミを防止する放熱器用フィルタを備えたことにより、蒸発皿部分の穀物などの籾殻、米糠、埃等の堆積を防止することで、衛生的にも良く、また、蒸発シートによる蒸発性能劣化を防止し蒸発効率を維持できドレン水を効果的に蒸発することができるのでドレン水をオーバーフローすることを防止できる。
【発明を実施するための最良の形態】
【００１１】
本発明の請求項１に記載の発明は、貯蔵室と、前記貯蔵室の上面に配設された冷却ユニットとからなり、前記冷却ユニットは、断熱材内部に冷却器と前記冷却器のドレン水を受ける冷却器用ドレン皿と冷却器用送風機と冷気用吸込口と冷気用吹出口とを有する冷却室と、圧縮機と放熱器と放熱器用送風機と前記放熱器用送風機の風下側に配置した蒸発皿と前記蒸発皿に蒸発促進用の蒸発促進シートとを有する機械室とから構成され、前記放熱器の前面に穀物などの籾殻、埃、米糠等の侵入を防止するフィルタを備えたことにより蒸発皿部分の籾殻等の堆積を防止するともに、蒸発促進シートによる蒸発性能劣化を防止し、蒸発効率を維持できる。またドレン水を効果的に蒸発することができるのでドレン水をオーバーフローすることを防止できる。
【００１２】
本発明の請求項２に記載の発明は、請求項１に記載の発明において、前記冷却ユニットは、前記機械室と前記冷却室を覆う外装パネルを備え、前記外装パネルの前面に警告灯を備えたことにより目視確認ができ定期的なフィルタの清掃を使用者に促すことができる。
【００１３】
本発明の請求項３に記載の発明は、請求項１または請求項２の発明において、前記機械室に警告音装置を設けたことにより、実聴により定期的なフィルタの清掃を使用者に促すことができる。
【００１４】
以下、本発明の実施の形態について、図面を参照しながら説明するが、この実施の形態によってこの発明が限定されるものではない。
【００１５】
（実施の形態１）
図１は、本発明の実施の形態１における農産物低温貯蔵庫の斜視図である。図２は、同実施の形態の農産物低温貯蔵庫の冷却ユニットの平面構成図である。
【００１６】
図１、図２において、１５は農産物低温貯蔵庫、１６は貯蔵室、１７は貯蔵室１６の上面に配設する冷却ユニット、１８は放熱器２８と熱交換するための空気吸込用穴、１９は放熱器２８の前面に設けられたフィルタである。
【００１７】
２０は機械室、２１は冷却室、２２は断熱体、２３は冷却器、２４は冷却器用送風機、２５は冷気吸込口、２６は冷気吹出口、２７は圧縮機、２８は放熱器、２９は放熱器用送風機、また、３０は冷却器２３のドレン水を受けるドレン皿、３１はドレン水を蒸発する蒸発皿、３２はドレン皿３０に滴下したドレン水を蒸発皿３１へ導く通水管、３３は前記ドレン皿３０に貯水したドレン水に浸漬するように設けられた冷媒配管を流通する高温冷媒の蒸発促進パイプである。また３４は親水性の高い蒸発促進紙から構成された蒸発促進シートである。また３５は冷却ユニット１７の外装パネルである。
【００１８】
以上のように構成された農産物低温貯蔵庫について、以下その動作について説明する。
【００１９】
まず、貯蔵室１６は、冷却ユニット１７の冷却器２３により冷却された冷気を冷気吹出口２５から導入することで冷却される。また、貯蔵室１６内が所定温度に冷却されると圧縮機２７の発停運転を繰り返す。この際、貯蔵室１６内の空気中の水分が冷却器２３の表面で凝縮してドレン水となりドレン皿３０上に滴下する。ここで、一般に、野菜等の保存には高湿雰囲気を維持することが望まれるため、貯蔵室１６内の湿度を保持するために圧縮機２７が停止中に冷却器用送風機２４を運転し、冷却器２３および、ドレン皿３０に蓄積された水分を貯蔵室内に返している。
【００２０】
一方、運転時間の経過と共に冷却器２３の表面に水分が結露し霜となって徐々に蓄積する。冷却器２３に付着した霜が多くなると、適当な時期に除霜操作が実施される。この時も冷却器２３の表面に付着していた霜が解けてドレン皿３０上に滴下する。ドレン皿３０上に滴下したドレン水は通水管３２を経て蒸発皿３１に流入する。そして、蒸発皿３１に流入したドレン水は、放熱器２８で暖められた排熱により、ドレン水に浸漬するように設けられた蒸発促進シート３４と冷媒配管を流通する高温冷媒の蒸発促進パイプ３３の熱を受けて蒸発する。
【００２１】
以上のように、本実施の形態においては放熱器２８の前面から侵入する埃や米糠等を防止するフィルタ１９を備えたことにより、蒸発皿３１部分の穀物などの籾殻、埃や米糠等の堆積を防止するともに、蒸発促進シート３４による蒸発性能劣化を防止し、蒸発効率を維持できる。またドレン水を効果的に蒸発することができるのでドレン水をオーバーフローすることを防止できる。
【００２２】
（実施の形態２）
図３は、本発明の実施の形態２の農産物低温貯蔵庫の斜視図である。
【００２３】
図３において３６は外装パネル３５前面に設けられた警告灯である。
【００２４】
以上のように構成された農産物低温貯蔵庫について、以下その動作について説明する。
【００２５】
農産物低温貯蔵庫１５の運転継続によってフィルタ１９に蓄積された穀物などの籾殻、埃や米糠等の影響で放熱器２８の性能が低下する。このことにより冷却ユニット１７の性能も低下する。この性能低下によって放熱器２８の温度が高温となり、この温度を感知して警告灯３６を点灯させる。
【００２６】
以上のように本実施の形態においては外装パネル３５の前面に警告灯３６を備えたことにより目視確認ができ定期的なフィルタ１９の清掃を使用者に促すことができる。またこの定期的なフィルタ１９の清掃を実施することにより安定した冷却ユニット１７の性能が確保できるものである。
【００２７】
（実施の形態３）
図４は、本発明の実施の形態３の農産物低温貯蔵庫の冷却ユニットの平面構成図である。
【００２８】
図４において３７は冷却ユニット１７の機械室２０内に設けられた警告音装置である。
【００２９】
以上のように構成された農産物低温貯蔵庫について、以下その動作について説明する。
【００３０】
農産物低温貯蔵庫１５の運転継続によってフィルタ１９に蓄積された埃や米糠等の影響で放熱器２８の性能が低下する。このことにより冷却ユニット１７の性能も低下する。この性能低下によって放熱器２８の温度が高温となり、この温度を感知して警告音装置３６を作動させる。
【００３１】
以上のように本実施の形態においては、冷却ユニット１７の機械室２０の空間に警告音装置３７を備えたことにより、実聴により定期的なフィルタ１９の清掃を使用者に促すことができる。またこの定期的なフィルタ１９の清掃を実施することにより安定した冷却ユニット１７の性能が確保できるものである。
【産業上の利用可能性】
【００３２】
以上のように、本発明の農産物低温貯蔵庫は、放熱器の前面から侵入する埃やゴミを防止するフィルタを備えたことにより、蒸発皿部分の穀物などの籾殻、埃や米糠等の堆積を防止するともに、蒸発促進シートによる蒸発性能劣化を防止し、蒸発効率を維持できる。またドレン水を効果的に蒸発することができるのでドレン水をオーバーフローすることを防止できる。
【図面の簡単な説明】
【００３３】
【図１】本発明の実施の形態１における農産物低温貯蔵庫の斜視図
【図２】同実施の形態の農産物低温貯蔵庫の冷却ユニットの平面構成図
【図３】本発明の実施の形態２における農産物低温貯蔵庫の斜視図
【図４】本発明の実施の形態３における農産物低温貯蔵庫の冷却ユニットの平面構成図
【図５】従来の農産物低温貯蔵庫の冷却ユニットの内部を示す平面構成図
【符号の説明】
【００３４】
１５  農産物低温貯蔵庫
１６  貯蔵室
１７  冷却ユニット
１９  フィルタ
２０  機械室
２１  冷却室
２２  断熱体
２３  冷却器
２４  冷却器用送風機
２５  冷気吸込口
２６  冷気吹出口
２７  圧縮機
２８  放熱器
２９  放熱器用送風機
３０  ドレン皿
３１  蒸発皿
３５  外装パネル
３６  警告灯
３７  警告音装置
【図１】
2006078061.tif 000003
【図２】
2006078061.tif 000004
【図３】
2006078061.tif 000005
【図４】
2006078061.tif 000006
【図５】
2006078061.tif 000007